(57)【要約】【課題】安価でコンパクトな汚泥濃縮移送装置を提供する。【解決手段】投入した汚泥Ｍが載置されるウェッジワイヤスクリーン５と、汚泥Ｍがウェッジワイヤスクリーン５上を一方向に搬送されるように、ウェッジワイヤスクリーン５を振動させる振動モータ１２と、を備え、ウェッジワイヤスクリーン５の振動により搬送中の汚泥Ｍの脱離液をスクリーン目から落下させて汚泥Ｍを濃縮する汚泥濃縮移送装置１とした。【選択図】図２
2008110286.tif 000002
【特許請求の範囲】
【請求項１】
投入した汚泥が載置され、複数の脱離液落下孔が形成された汚泥濃縮移送部材と、
汚泥が前記汚泥濃縮移送部材上を一方向に搬送されるように、前記汚泥濃縮移送部材を振動させ、その振動により汚泥の脱離液を前記脱離液落下孔から落下させて汚泥を濃縮移送させる振動手段と、
を備えることを特徴とする汚泥濃縮移送装置。
【請求項２】
投入した汚泥を複数の脱離液落下孔が形成された汚泥濃縮移送部材に載置し、汚泥が前記汚泥濃縮移送部材上を一方向に搬送されるように前記汚泥濃縮移送部材を振動させ、この汚泥濃縮移送部材の振動により汚泥の脱離液を前記脱離液落下孔から落下させて汚泥を濃縮移送することを特徴とする汚泥濃縮移送方法。
【請求項３】
汚泥に前記脱離液落下孔の目幅よりも大きい担体を混入することを特徴とする請求項２に記載の汚泥濃縮移送方法。
【発明の詳細な説明】
【技術分野】
【０００１】
本発明は、汚泥濃縮移送装置および汚泥濃縮移送方法に関するものである。
【背景技術】
【０００２】
下水から排出される汚泥を濃縮（脱水）する従来の方法としては、スクリューコンベア装置を用いてそのスクリュー羽根の攪拌作用により濃縮させる方法（例えば、特許文献１参照）や、ベルトコンベア装置を用いてコンベア搬送中の重力濾過により濃縮させる方法などが挙げられる。
【特許文献１】特開平７−６０３００号公報
【発明の開示】
【発明が解決しようとする課題】
【０００３】
前者の方法では、スクリュー羽根の製作コストがかかって高価な装置になりやすく、後者の方法では、専ら重力濾過にたよるため濃縮効率が低く、所定の濃縮率を得るためには搬送路を長くしなければならないという問題がある。
【０００４】
本発明は、以上のような問題を解決するために創作されたものであり、安価でコンパクトな汚泥濃縮移送装置および経済的な汚泥濃縮移送方法を提供することを目的としている。
【課題を解決するための手段】
【０００５】
本発明は、前記課題を解決するため、投入した汚泥が載置され、複数の脱離液落下孔が形成された汚泥濃縮移送部材と、汚泥が前記汚泥濃縮移送部材上を一方向に搬送されるように、前記汚泥濃縮移送部材を振動させ、その振動により汚泥の脱離液を前記脱離液落下孔から落下させて汚泥を濃縮移送させる振動手段と、を備えることを特徴とする汚泥濃縮移送装置とした。
【０００６】
この汚泥濃縮移送装置によれば、汚泥は汚泥濃縮移送部材からの振動を受けて濃縮が促進されることとなる。搬送中、脱離液は脱離液落下孔を通って落下し、汚泥濃縮移送部材上の濃縮された汚泥と分離処理される。
【０００７】
また本発明では、投入した汚泥を複数の脱離液落下孔が形成された汚泥濃縮移送部材に載置し、汚泥が前記汚泥濃縮移送部材上を一方向に搬送されるように前記汚泥濃縮移送部材を振動させ、この汚泥濃縮移送部材の振動により汚泥の脱離液を前記脱離液落下孔から落下させて汚泥を濃縮移送することを特徴とする汚泥濃縮移送方法とした。
【０００８】
この汚泥濃縮移送方法によっても、汚泥は汚泥濃縮移送部材からの振動を受けて濃縮が促進されることとなる。搬送中、脱離液は脱離液落下孔を通って落下し、汚泥濃縮移送部材上の濃縮された汚泥と分離処理される。
【０００９】
また本発明では、汚泥に前記脱離液落下孔の目幅よりも大きい担体を混入することを特徴とする汚泥濃縮移送方法とした。
【００１０】
この汚泥濃縮移送方法によれば、担体が振動により移送される際、この担体に汚泥が絡まって一緒に移送されるため汚泥の移送効果が一層促進される。
【発明の効果】
【００１１】
本発明によれば、安価でコンパクトな汚泥濃縮移送装置となり、また経済的な汚泥濃縮移送方法となる。
【発明を実施するための最良の形態】
【００１２】
図１、図２はそれぞれ本発明に係る汚泥濃縮移送装置の平面図、側面図であり、図３、図４はそれぞれ図２におけるＡ−Ａ断面図、Ｂ−Ｂ断面図である。
【００１３】
図１ないし図４において、汚泥濃縮移送装置１は、投入した汚泥Ｍが載置され、複数の脱離液落下孔４が形成された汚泥濃縮移送部材２と、汚泥Ｍが汚泥濃縮移送部材２上を一方向に搬送されるように、汚泥濃縮移送部材２を振動させる振動手段３と、を備える。処理対象の汚泥Ｍとしては、例えば下水処理場の沈殿池で発生する汚泥などであり、汚泥濃縮移送部材２上への載置を考慮して、凝集剤が混入されていることが望ましい。
【００１４】
汚泥濃縮移送部材２としてはウェッジワイヤスクリーン５が好適であり、その複数のスクリーン目５ａが前記脱離液落下孔４に相当する。ウェッジワイヤスクリーン５は、ウェッジワイヤの延設方向を長手とした矩形平板状として形成され、フレーム６に水平に固定されている。フレーム６は、図３等に示すように上部側が開口した断面略凹の字形状を呈しており、両側壁６ａの内面側の高さ方向中程には支持板６ｃが水平に突設されている。ウェッジワイヤスクリーン５は、その両縁が支持板６ｃに載置され、上方から複数の止め具７に押え付けられることでフレーム６に固定される。止め具７は、フレーム６の上端に形成された水平フランジ６ｂにボルト８およびナット９により締結固定される部材である。
【００１５】
フレーム６の底面外側には一対の振動伝達用のブラケット１０が下方に向けて突設されており、このブラケット１０には、鋼材等からなる振動モータ取り付けフレーム１１が両ブラケット１０を貫通するように固定されている。そして、ブラケット１０から突出した振動モータ取り付けフレーム１１の両先端に振動手段３としての振動モータ１２が取り付けられている。この振動モータ１２は、ウェッジワイヤスクリーン５に載置された汚泥Ｍが、ウェッジワイヤの延設方向に沿った一方向（図１、図２における左側から右側に向かう方向）に搬送されるように、ウェッジワイヤスクリーン５を振動させる。
【００１６】
なお、床側への防振対策として、フレーム６の両側壁６ａの外面側に複数の支持座１３を固設し、この支持座１３を防振手段を介して床上の架台１４に支持させた構造としている。本実施形態では、防振手段としてコイルばね１５を用いており、架台１４上のばね台座１６にコイルばね１５を鉛直状に取り付け、コイルばね１５の上端に支持座１３を取り付けている。
【００１７】
以上の汚泥濃縮移送装置１によれば、汚泥Ｍはウェッジワイヤスクリーン５からの振動を受けて濃縮が促進されることとなる。搬送中、脱離液は常にスクリーン目５ａを通ってフレーム６の底部に落下して、ウェッジワイヤスクリーン５上の濃縮された汚泥Ｍと分離される。分離された濃縮汚泥と脱離液は、装置外に排出されて処理される。
【００１８】
このように、投入した汚泥Ｍが載置され、複数の脱離液落下孔４が形成された汚泥濃縮移送部材２と、汚泥Ｍが汚泥濃縮移送部材２上を一方向に搬送されるように、汚泥濃縮移送部材２を振動させる振動手段３と、を備え、汚泥濃縮移送部材２の振動により搬送中の汚泥Ｍの脱離液を脱離液落下孔４から落下させて汚泥Ｍを濃縮する汚泥濃縮移送装置１とすれば、簡易な構造で装置を安価に製作することができる。また、振動作用により汚泥Ｍの濃縮効率が良好となるので、汚泥Ｍの搬送路の長さが少なくて済み、装置をコンパクトに仕上げることができる。
【００１９】
同様に、投入した汚泥Ｍを複数の脱離液落下孔４が形成された汚泥濃縮移送部材２に載置し、汚泥Ｍが汚泥濃縮移送部材２上を一方向に搬送されるように汚泥濃縮移送部材２を振動させ、この汚泥濃縮移送部材２の振動により搬送中の汚泥Ｍの脱離液を脱離液落下孔４から落下させて汚泥Ｍを濃縮する汚泥濃縮移送方法とすれば、簡易で経済的な汚泥濃縮移送方法を構築できる。
【００２０】
また、汚泥Ｍの移送効率を上げる方法として、汚泥Ｍに担体１７を混入する方法が挙げられる。本発明において、担体１７とは複数の固形の粒状体を意味し、例として小石やセラミック粒体、金属粒体、樹脂粒体などが挙げられる。担体１７の大きさは、脱離液落下孔４（スクリーン目５ａ）から落下しないように、脱離液落下孔４（スクリーン目５ａ）の目幅よりも大きいサイズとする。
【００２１】
このように、担体１７を混入したうえで汚泥Ｍに振動をかけると、担体１７が振動により移送され、このとき担体１７に汚泥Ｍが絡まって一緒に移送されるため、汚泥Ｍの移送効果が一層促進される。なお、担体１７としては、その表面が滑らかに形成されているものよりも、多数の凹凸を形成したものの方が汚泥への絡まり具合が良好となり、汚泥Ｍの移送効果がより一層促進される。
【００２２】
以上、本発明について好適な実施形態を説明した。実施形態では、フレーム６等を介して汚泥濃縮移送部材２（ウェッジワイヤスクリーン５）を振動させる構造としたが、汚泥濃縮移送部材２（ウェッジワイヤスクリーン５）のみを振動させる構造としてもよい。また、汚泥濃縮移送部材２としては、網目状の部材であってもよいし、多数の円孔を穿設した部材であってもよい。さらに、処理対象の汚泥Ｍとしては工業廃水等に含まれる汚泥であっても適用可能である。
【図面の簡単な説明】
【００２３】
【図１】本発明に係る汚泥濃縮移送装置の平面図である。
【図２】本発明に係る汚泥濃縮移送装置の側面図である。
【図３】図２におけるＡ−Ａ断面図である。
【図４】図２におけるＢ−Ｂ断面図である。
【符号の説明】
【００２４】
１      汚泥濃縮移送装置
２      汚泥濃縮移送部材
３      振動手段
４      脱離液落下孔
５      ウェッジワイヤスクリーン
１２      振動モータ
１７      担体
Ｍ      汚泥
【図１】
2008110286.tif 000003
【図２】
2008110286.tif 000004
【図３】
2008110286.tif 000005
【図４】
2008110286.tif 000006